(57)【特許請求の範囲】
【請求項１】
白黒原稿を処理するモード、およびカラー原稿を処理するモードを含む複数のモードの中から少なくとも１つのモードを設定する設定手段と、
原稿画像を読取ることにより、画像データを取得する取得手段と、
前記白黒原稿を処理するモードが設定されたときには、複数のメモリプレーンの一部に白黒原稿のデータを、他の一部にエリアを指定するためのデータを記憶させ、前記カラー原稿を処理するモードが設定されたときには、前記複数のメモリプレーンにカラー原稿を表示させるためのデータを記憶させることで、前記設定されたモードに応じた方法で、前記取得された画像データを記憶する記憶手段と、
前記記憶された画像データに基づいて、前記原稿画像の編集を行なう編集手段とを備えた、画像編集装置。
【請求項２】
前記複数のモードは、マーカによりマークされた領域を編集する第１のモードを含み、
前記設定手段により前記第１のモードが設定されているときに、前記記憶手段は、前記取得された画像データに基づいて、前記原稿画像を表示するためのデータと、前記マーカによりマークされた領域を識別するためのデータとを記憶する、請求項１に記載の画像編集装置。
【請求項３】
前記複数のモードは、前記原稿画像に設けられた閉領域を編集する第２のモードを含み、
前記設定手段により前記第２のモードが設定されているときに、前記記憶手段は、前記取得された画像データに基づいて、前記原稿画像を表示するためのデータと、前記閉領域を識別するためのデータとを記憶する、請求項１または２に記載の画像編集装置。
【請求項４】
前記原稿画像は色が付された原稿画像であり、
前記取得手段は色画像データを取得し、
前記複数のモードは、色画像の編集を行なう第３のモードを含み、
前記設定手段により前記第３のモードが設定されているときに、前記記憶手段は、前記取得された色画像データの色数を、ディスプレイに表示可能な色数まで減色して記憶する、請求項１から３のいずれかに記載の画像編集装置。
【発明の詳細な説明】
【０００１】
【発明の属する技術分野】
この発明は画像編集装置に関し、特に読取られた原稿を表示し、ユーザがその表示された内容を編集することのできる画像編集装置に関する。
【０００２】
【従来の技術】
特開平５−９４３１１号公報において、画像データをメモリに取込み、そのメモリ内データをディスプレイ上に表示し、そのディスプレイ上で編集加工を行なう編集装置が提案されている。
【０００３】
【発明が解決しようとする課題】
しかしながら、従来の編集装置においては、読取られた画像は単一の方法でメモリに記録されるため、そのようにして記録された画像から領域の認識や特定の色の認識を行ない、画像の加工を行なうことが非常に困難であるという問題点がある。
【０００４】
そこで、この発明は読取られた画像の加工を容易に行なうことのできる画像編集装置を提供することを目的とする。
【０００５】
【課題を解決するための手段】
上記目的を達成するために、この発明のある局面に従うと、画像編集装置は、白黒原稿を処理するモード、およびカラー原稿を処理するモードを含む複数のモードの中から少なくとも１つのモードを設定する設定回路と、原稿画像を読取ることにより画像データを取得する取得回路と、白黒原稿を処理するモードが設定されたときには、複数のメモリプレーンの一部に白黒原稿のデータを、他の一部にエリアを指定するためのデータを記憶させ、カラー原稿を処理するモードが設定されたときには、複数のメモリプレーンにカラー原稿を表示させるためのデータを記憶させることで、設定されたモードに応じた方法で取得された画像データを記憶する記憶回路と、記憶された画像データに基づいて原稿画像の編集を行なう編集回路とを備える。
【０００６】
さらに、複数のモードは、マーカによりマークされた領域を編集する第１のモードを含み、設定回路により第１のモードが設定されているときに、記憶回路は取得された画像データに基づいて、原稿画像を表示するためのデータとマーカによりマークされた領域を識別するためのデータとを記憶する。
【０００７】
さらに、複数のモードは、原稿画像に設けられた閉領域を編集する第２のモードを含み、設定回路により第２のモードが設定されているときに、記憶回路は、取得された画像データに基づいて原稿画像を表示するためのデータと、閉領域を識別するためのデータとを記憶する。
【０００８】
さらに、原稿画像は色が付された原稿画像であり、取得回路は色画像データを取得し、複数のモードは、色画像の編集を行なう第３のモードを含み、設定回路により第３のモードが設定されているときに、記憶回路は取得された色画像データの色数をディスプレイに表示可能な色数まで減色して記憶する。
【０００９】
このような発明に従うと、設定されたモードに応じて取得された画像データが記憶されるため、その後の画像の処理を容易に行なうことのできる画像編集装置を提供することが可能となる。
【００１０】
【発明の実施の形態】
次に、この発明の好ましい実施の形態を図面を参照して詳しく説明する。図中、同一符号は同一または相当部分を示す。
【００１１】
図１は、本発明の実施の形態の１つにおけるデジタルカラー複写機の斜視図である。
【００１２】
図を参照して、カラー複写機１００は、大量の原稿を取扱うための自動原稿送り装置（ＡＤＦともいう）２００と、コピー用紙を仕分けるためのソータ４００と、フィルム原稿から複写（コピー）を行なうためのフィルムプロジェクタ５００と、本実施の形態におけるカラー複写機の特徴となるスクリーンエディター６００と、パーソナルコンピュータやＥＷＳなどを接続することによってカラープリンタとして本複写機を使用するためのプリンタコントローラ７００とを備える。
【００１３】
また、スクリーンエディター６００には、原稿を読取って表示したり、ユーザへの操作の指示を行なうために各種操作メニューを表示するカラー液晶ディスプレイ（ＬＣＤ）１１５が含まれる。
【００１４】
さらに、このカラーＬＣＤ１１５の上には、ユーザにより指示された座標を検出するための透明タブレット（タッチパネル）が積層されており、ペン８００によるユーザからの入力により、カラーＬＣＤ上の座標をダイレクトに装置に入力することが可能である。
【００１５】
図２は、図１のカラー複写機の機構を説明するための断面図である。
図を参照して、複写機は大きくはイメージリーダ部３０とプリンタ部２０とから構成される。以下その各々について説明する。
【００１６】
（１）  イメージリーダ部３０について
イメージリーダ部３０は、原稿を積載するための原稿台３１と、原稿の露光走査を行なうためのスキャナ３２と、原稿からの反射光を検知するためのイメージセンサ（ＣＣＤ）２０１と、イメージセンサからの信号を処理する画像信号処理部３３０と、画像信号処理部からの信号に基づいてプリンタ部へ制御信号を出力するプリントヘッド（ＰＨ）制御部３３５と、スキャナ３２を駆動するためのパルスモータ３５とを備える。
【００１７】
原稿台３１上に積載された原稿の画像はスキャナ３２によって露光走査され、その画像の反射光はイメージセンサ２０１により光電変換される。光電変換された信号は画像信号処理部３３０において所定の処理が施され、レーザダイオード駆動用のデジタル画像データが生成される。生成されたデジタル画像データはプリントヘッド制御部３３５へ伝送される。
【００１８】
（２）  プリンタ部２０について
プリンタ部２０は大きくは作像部、現像ユニット部および用紙処理部から構成される。以下その内容を分説する。
【００１９】
（ａ）  作像部について
作像部は、イメージリーダ部３０より送られたデジタル画像データに基づいて駆動されるレーザ装置２１と、静電潜像を書込むための感光体ドラム４と、トナーによる現像を行なう現像ユニット６と、用紙の表面に画像を転写する転写ドラム１０と、感光体ドラムおよび転写ドラムを駆動するドラム駆動モータ２２とを備える。
【００２０】
入力されたデジタル画像データなどによりレーザ装置２１は駆動される。レーザ装置２１の駆動により感光体ドラム４の表面に静電潜像が形成される。静電潜像は現像ユニット６によりトナー現像され、転写ドラム１０上に配置された印刷用の用紙の表面に転写される。
【００２１】
なおこのとき感光体ドラム４および転写ドラム１０はドラム駆動モータ２２によって同期して駆動される。
【００２２】
（ｂ）  現像ユニット６について
現像ユニット６は、マゼンタトナーでの現像を行なうマゼンタ現像器６Ｍと、シアントナーでの現像を行なうシアン現像器６Ｃと、イエロートナーでの現像を行なうイエロー現像器６Ｙと、ブラックトナーでの現像を行なうブラック現像器６Ｋと、その各々の現像器の上部に設けられた、現像器の各々に対応する色のトナーを供給するための４つのトナーホッパーと、現像器ユニット６の上下方向の移動を行なうための現像ユニットモータ６１とから構成される。
【００２３】
（ｃ）  用紙処理部について
用紙処理部は印刷のための用紙を収納する収納カセット４２〜４４と、用紙を一時的に収納する中間収納部５０とから構成される。
【００２４】
収納カセット４２〜４４のいずれかのカセットから引出された用紙、または中間収納部５０から給紙された用紙は、搬送ローラ群により転写ドラム１０に搬送され、転写ドラム１０に巻付けられる。その後、その用紙には感光体ドラム４上のトナー像が順次（最大４色分）転写される。
【００２５】
転写の行なわれた用紙は、その後転写ドラム１０から分離され、定着装置４８において画像定着が行なわれ、排紙トレー４９において排紙される。
【００２６】
なお用紙の搬送時にレジストタイミングを取るためのタイミングローラ対４５と、搬送ベルト４７とが装置には設けられている。
【００２７】
なお上記搬送ローラ群および搬送ベルト４７などの駆動はメインモータ４１により行なわれる。
【００２８】
さらに、転写ドラム１０には、用紙先端をチャキングするための先端チャック爪と、用紙を転写ドラム１０に静電吸着させるための吸着チャージ１１と、用紙を押さえるための用紙押さえローラ１２と、感光体ドラム上に顕像化されているトナー像を用紙上に吸引して転写させるための転写チャージ１４と、トナー像の転写終了後（フルカラー現像の場合には４色分のトナー像の転写終了後）に、転写ドラムを除電して用紙を分離させるための除電チャージ１６，１７と、用紙を転写ドラムから剥離するための分離爪１８とが配設されている。
【００２９】
また中間収納部５０へは、上記印刷工程を一旦終了した用紙が導入される。
印刷工程を一旦終了した用紙が排紙トレイ４９に搬送されるか、中間収納部５０へ搬送されるかは、定着処理を終えた紙の搬送経路内に配設された搬送経路切換部５３の切換えにより選択される。
【００３０】
中間収納部５０へ向かう搬送路内には、さらに搬送経路切換部５４が配置されている。搬送経路切換部５４により、搬送されてきた用紙が反転装置５１でスイッチバック搬送された後、中間収納部５０に収納されるか、あるいは直接中間収納部５０に収納されるかが選択される。
【００３１】
この選択は中間収納部５０から給紙された用紙が、転写ドラムに再び搬送されるときに、既に印字が行なわれた用紙面と同じ面に画像が転写されるか（このような転写を行なうモードを「画像重ね合せモード」という）、あるいは裏面に転写が行なわれるか（このモードを同様に「両面複写モード」という）を選択するために行なわれる。
【００３２】
なお転写ドラムにはさらに転写ドラムの基準位置を検出するための基準位置センサ１３と、基準位置センサを作動させるためのアクチュエータ板１３ａとが配設されている。
【００３３】
これらのイメージリーダ部およびプリンタ部の動作については後述する。
図３は、図１の複写機のスクリーンエディターが備える画像処理のための電子回路のブロック図であり、図４は複写機の本体が備える画像処理回路のブロック図である。図３および４は、図中Ａ、ＢおよびＣの部分でそれぞれ接続される。
【００３４】
図３を参照して、スクリーンエディターは以下のものを備える。
（ａ）  画像合成用２値化メモリ（６１８）
原稿情報の明度信号（Ｙ）の２値化信号をストアするメモリである。白黒原稿の画像はこのメモリにストアされ、カラー原稿との合成（文字合成機能）時の文字情報として用いられる。
【００３５】
（ｂ）  ＬＣＤ表示用原稿／閉ループ・マーカー検出メモリ（６２０）
カラー原稿編集モード時に、原稿情報をＬＣＤ表示用にＬＣＤＣのカラーパレット入力データに変換し、１００ｄｐｉに間引きしてストアするメモリである。すなわち、原稿画像の色数は、ＬＣＤに表示可能な色数に減色されて記憶される。
【００３６】
白黒原稿編集モード時には、原稿内の白黒（閉ループ検出）情報１ｂｉｔ／カラー情報（Ｒ，Ｇ，Ｂ，Ｃ，Ｍ，Ｙ）３ｂｉｔ／白黒階調（表示用）４ｂｉｔの２値化信号を１００ｄｐｉに間引きしてストアするメモリとなる。
【００３７】
このメモリ内の原稿情報がＣＰＵによりＶＲＡＭに転送され、表示される。
また、白黒原稿編集モード時には、このメモリ内の情報からＣＰＵは原稿の閉ループ／マーカー点位置／マーカー閉ループを検出し、編集エリア指定情報を生成する。
【００３８】
以上のように、このメモリは設定されているモードに応じて記憶の方法を変えることを特徴としている。
【００３９】
（ｃ）  編集エリア指定メモリ（６２６）
閉ループ・マーカー検出メモリ６２０およびエディターのタッチパネル６１４からの座標指定により、１６種類の編集エリア信号がビットマップ情報としてＣＰＵにより設定されるメモリである。このメモリ内の編集エリア情報により編集機能別エリア信号の出力の制御が行なわれる。
【００４０】
（ｄ）  模様付け（テクスチャ）メモリ（６２２）
原稿面に積載された模様付け原稿、または背景グラデーション処理データをストアするメモリである。背景グラデーション処理のデータは、ＣＰＵにより設定される。このメモリに格納されている画像データによりカラー原稿の模様付け処理、および白黒原稿の背景グラデーション処理が行なわれる。メモリサイズは、模様付け最大周期（主走査）＝１２８ｄｏｔ、副走査＝２５６ｄｏｔ、階調（明度）＝２５６階調である。
【００４１】
（ｅ）  パターン化メモリ（６２４）
パターン化処理するためのパターン形状の２値データをストアするメモリである。このメモリに格納されているパターン形状により白黒原稿のパターン化処理が行なわれる。このメモリのパターン形状２値データはＣＰＵにより設定される。メモリサイズは、パターンサイズ（主走査）＝１２８ｄｏｔ、副走査＝２５６ｄｏｔ、パターン８種である。
【００４２】
（ｆ）  ２値化処理部（６２８）
予備スキャン時に原稿入力データから明度信号（Ｙ）の単純２値化出力を画像合成用２値化メモリ６１８に書込む。画像再生スキャン時に、原稿入力データから明度信号（Ｙ）の単純２値化出力を文字領域判定データとして置換色データ生成部６４０に出力する。
【００４３】
画像再生スキャン時に、原稿入力データから明度信号（Ｙ）、彩度信号（Ｃ）の２値化出力を下地領域判定データとして置換色データ生成部６４０に出力する。
【００４４】
（ｇ）  縁取り判定部（６３０）
編集エリア信号から指定されたエリアの画像データの縁取り・中抜きエッジの判定を行ない、置換色データ生成部６４０に判定情報を出力する。縁取り判定として、下記の各機能についての所定の判定を行なう。
【００４５】
縁取り機能；２値化した入力画像の縁取りエッジを検出し、エッジ判定情報を置換色データ生成部に出力する。
【００４６】
中抜き機能；２値化した入力画像の中抜きエッジを検出し、エッジ判定情報を置換色データ生成部に出力する。
【００４７】
（ｈ）  マーカー色判定・ＬＣＤ表示用画像データコード化処理部（６３２）白黒原稿編集モード時において、予備スキャンが行なわれるときに、原稿入力データを白黒／カラー（Ｒ，Ｇ，Ｂ，Ｃ，Ｙ，Ｍ）の７種に分離し、ＬＣＤ表示用原稿／閉ループ・マーカー検出メモリ６２０に出力する。
【００４８】
カラー原稿編集モード時において、予備スキャンが行なわれるときに原稿入力データをＬＣＤ表示用の色コードに変換し、ＬＣＤ表示用原稿／閉ループ・マーカー検出メモリに出力する。
【００４９】
ＬＣＤ表示用原稿／閉ループ・マーカー検出メモリへのデータの書込は、副走査有効期間の４ラインおきに行なわれる。
【００５０】
マーカー色判定・ＬＣＤ表示は、Ｙ，Ｃｒ，Ｃｂをアドレス情報としてＲＯＭより検索する。マーカー色判定・ＬＣＤ表示用画像データコード化用にＲＯＭテーブル（２５６Ｋ×８ｂｉｔ）を実装する。
【００５１】
（ｉ）  １／４間引き処理部（６３４）
予備スキャン時に原稿入力データを、主走査方向の４ｄｏｔごとに単純間引きによる間引き処理を行ない、マーカー色判定・ＬＣＤ表示用画像データコード化処理部６３２に出力する。
【００５２】
（ｊ）  模様付けデータ書込部（６３６）
予備スキャン時に、原稿入力データの一部分（１２８×２５６ｄｏｔ）の明度信号（Ｙ）を模様付けメモリに書込む。
【００５３】
（ｋ）  色判別部（６３８）
編集エリア信号から指示されたエリアの画像データの色の判別を行ない、置換色データ生成部６４０に判別情報を出力する。色判別として、下記の各機能について所定の判定を行なう。
【００５４】
カラーチェンジ機能；入力画像が指定された原稿色か否かを判別し、判別情報を置換色データ生成部に出力する。
【００５５】
模様付け機能；入力画像が指定された原稿色か否かを判別し、判別情報を置換色データ生成部に出力する（指定色模様付け機能）。
【００５６】
色判別部６３８は、色判別極座標変換用にＲＯＭテーブルを実装する。
（ｌ）  置換色データ生成部（６４０）
編集エリア信号から指示されたエリアの画像データの色変換および縁取りの編集指示情報により置換した画像データを出力する。置換色データ処理は、下記の各機能について所定の変換を行なう。
【００５７】
カラーチェンジ機能；指定された原稿色に対して、指定された置換色に変換する（カラー領域）。
【００５８】
模様付け機能；指定された原稿色に対して、模様付けメモリデータに変換する（カラー領域）。
【００５９】
背景色置換機能；白の領域を、指定された置換色およびパターンに変換する（モノクロ領域）。
【００６０】
縁取り機能；エッジ部とエッジ内画像を別々の指定された置換色に変換する（モノクロ領域）。
【００６１】
（ｍ）  エリア信号出力部（６４２）
編集エリアメモリ６２６から指示されたエリア信号を、複写機本体に対して編集用属性信号に変換し、縁取り判定処理部、色判別処理部、置換データ生成処理部に編集指示信号を出力する。複写機本体へ出力する属性信号は、モノカラー・モノクロ指示信号、ネガポジ判定指示信号、および画像置換／画像イレース／文字合成指示信号である。
【００６２】
（ｎ）  ＶＲＡＭ（６１６）
ＬＣＤ表示の表示画像データを格納する画像メモリである。このメモリの画像データはＣＰＵにより書込まれる。このメモリ内の画像データは、ＬＣＤＣによりＬＣＤに表示される。
【００６３】
（ｏ）  ＬＣＤＣ（６１２）
ＬＣＤ表示（ＶＧＡ：６４０×４８０／２５６色）制御およびＶＲＡＭの制御を行なう。ＶＲＡＭに設定された画像データを読出しＬＣＤに表示する。
【００６４】
（ｐ）  ＣＰＵ（６０２）
このＣＰＵによりＬＣＤ表示制御および編集エリア情報の生成処理が行なわれる。
【００６５】
（ｑ）  ＣＰＵコントローラ（６１０）
ＣＰＵの外部アクセスのアドレスデコードおよびバス制御を行なう。ＣＰＵへのタッチパネルＩ／Ｆの入出力制御を行なう。
【００６６】
（ｒ）  プログラムＲＯＭ（６０４）
ＣＰＵのプログラムを格納するＲＯＭである。
【００６７】
（ｓ）  ワークＲＡＭ（６０６）
ＣＰＵのワーク／スタック用のＲＡＭである。
【００６８】
（ｔ）  バックアップＳＲＡＭ（６０８）
バックアップパラメータを保存するための電池内蔵のＳＲＡＭである。パラメータの書込は、ＣＰＵにより行なわれる。
【００６９】
（ｕ）  カラーＬＣＤ（１１５）
（ｖ）  タッチパネル（６１４）
図４を参照して、複写機本体は、イメージリーダ３０と、イメージリーダから出力される信号の変換などの処理を行なう複写機処理部１０２と、複写機処理部１０２から出力される信号の処理を行なう画像処理部１０６と、画像処理部の出力信号をプリントするプリンタ１０７とを備える。
【００７０】
イメージリーダ３０は、Ｙ、Ｃｒ、Ｃｂ各８ｂｉｔの画像データを出力する。出力された画像データは、スクリーンエディターおよび複写機処理部１０２へ入力される。複写機処理部１０２は、イメージリーダ３０からの画像データと、スクリーンエディターから出力されるＹ、Ｃｒ、Ｃｂ各８ｂｉｔの画像データと、編集エリア信号とを入力し、加工された画像データを出力する。
【００７１】
図５は、編集エリア指定メモリ６２６の具体的な構成を示すブロック図である。
【００７２】
このメモリは、原稿内の白黒１ｂｉｔ／カラー（Ｒ，Ｇ，Ｂ，Ｃ，Ｍ，Ｙ）３ｂｉｔの２値化信号を１００ｄｏｔに間引きしてストアするメモリである。また、このメモリは閉ループ・マーカー検出メモリとしても機能する。また、タッチパネルから入力された指定座標による編集エリアをストアする。このメモリは１６種類の編集エリア信号をビットマップ情報としてストアする。
【００７３】
編集エリア指定メモリ６２６は、ＤＲＡＭ６２６２と、ＤＲＡＭのコントローラ６２６１と、ＣＰＵデータゲート６２６３と、編集エリア信号出力部データゲート６２６４とから構成される。ＤＲＡＭコントローラ６２６１は、ＣＰＵアドレスと、エリア信号出力部アドレスと、ＣＰＵリード／ライト信号と、エリア信号出力部からのデータとを入力する。また、ＣＰＵデータゲート６２６３はＣＰＵとの間でデータのやり取りを行なう。編集エリア出力部データゲート６２６４は、エリア信号出力部６４２にデータを出力する。
【００７４】
図６は、編集エリア指定メモリのプレーン構成を説明するための図である。
図を参照して、編集エリア指定メモリは、１６プレーンにより構成される。１プレーンは２Ｍバイトの容量を有し、入力された画像データの編集位置を特定するために用いられる。編集エリア指定メモリの各プレーンの役割は、編集モードや編集機能ごとに変わる。
【００７５】
図７は、各モードにおける、編集エリア指定メモリのメモリプレーンの割付けを説明するための図である。
【００７６】
図を参照して、ｂｉｔ０〜ｂｉｔ１５の各ビットのメモリプレーンに対する役割が、入力された原稿が白黒原稿であるときと、カラー原稿であるときと、白黒＋カラー原稿であるときとに分けて説明されている。
【００７７】
ここに、白黒原稿とは、色付けのされていない原稿と、色付けのされていない白黒の原稿に編集を行なうためにユーザがカラーマーカーによりエリアの指定をした原稿とを含む。カラー原稿とは、たとえば写真などの原稿である。白黒＋カラー原稿とは、白黒とカラーとが混在する原稿である。
【００７８】
図を参照して、読取られた原稿が白黒原稿である場合には、ｂｉｔ０は、イレースエリアコードとして用いられる。ここでイレースエリアコードとは、このコードにより指定される領域の画像を消去するためのコードである。
【００７９】
ｂｉｔ１〜１５は、第１から第１５の文字／下地加工エリアコードとして用いられる。すなわち各ビットにより指定される領域においてそれぞれに対応した編集処理が実行される。
【００８０】
入力された画像がカラー原稿であるときには、ｂｉｔ０はイレースエリアコードとして用いられる。ｂｉｔ１はネガ／ポジ反転エリアコードとして用いられる。ｂｉｔ２は模様付けを行なうエリアのコードとして用いられる。
【００８１】
ｂｉｔ３〜５は第１から第３のモノクロエリアを割当てるための第１〜３モノクロエリアコードとして用いられる。
【００８２】
ｂｉｔ６〜９は第１から第４のカラーチェンジエリアを割当てるための第１〜４カラーチェンジエリアコードとして用いられる。
【００８３】
ｂｉｔ１０〜１５は第１から第６の文字／下地加工エリアを割当てるための、第１〜６文字／下地加工エリアコードとして用いられる。
【００８４】
読取られた原稿が白黒＋カラー原稿であるときには、ｂｉｔ０および１は画像合成指示エリアとして用いられる。ｂｉｔ０および１により示される数字が“０”であるときには透かし合成が行なわれ、“１”であるときには嵌め込み・文字合成が行なわれ、“２”であるときには画像イレースが行なわれ、“３”であるときには、画像合成は行なわれない。
【００８５】
ｂｉｔ２〜１５は、第１から第１４の嵌め込み合成・文字合成、白黒原稿内編集用、窓指定エリアを割当てるためのエリアコードとして用いられる。
【００８６】
このようにして、入力された画像データに応じて編集エリア指定メモリは異なった方法で使用されることとなる。
【００８７】
ここに、編集エリア指定メモリに記録されるデータを例示して説明する。
図８（Ａ）を参照して、イメージリーダにより読取られる白黒原稿の一部に赤マーカー（Ｒ）で囲まれた領域、緑マーカー（Ｇ）で囲まれた領域および青マーカー（Ｂ）で囲まれた領域が存在する場合の処理について以下に説明する。
【００８８】
この原稿は、イメージリーダ３０により読取られ、２値化処理部６２８において２値化された後、閉ループ／マーカー検出／ＬＣＤ表示用原稿メモリ６２０に格納される。
【００８９】
このときメモリ６２０内では、図６（Ｂ）に示されるように、ブラックのデータを記録する面２０１においては、原稿の白黒部分のみのデータが格納される。
【００９０】
これに対してレッド、グリーンおよびブルーの各々のマーカ色コードを記録する面においては、符号２０２〜２０４に示されるように、原稿に付されたマーカーの色に対応した部分の画像のみが記録される。
【００９１】
これらメモリ６２０に格納された原稿画像は、ＣＰＵ６０２を介してＶＲＡＭ６１６に転送され、これによりカラーＬＣＤ１１５に出力されることになる。
【００９２】
このとき、装置使用者における設定やあるいは装置による自動設定によって、読取られた原稿をそのまま表示するか、あるいはマーカーにより画像処理が行なわれた後の画像を表示するかのいずれかが選択される。
【００９３】
より詳しくは図９（Ａ）を参照して、マーカーにより記入された図形をそのまま表示するモードが選択されている場合には、画面２０５に示されるように読取られた原稿画像と同じ画像がＶＲＡＭに記録され、カラーＬＣＤ１１５上には表示される。
【００９４】
これに対して、マーカーによる画像処理の効果を表示するモード（画像処理が行なわれた後の画像を表示するモード）が選択されている場合にあっては、画面２０７に示されるようにマーカーの色およびその位置をもとに、画像処理が行なわれた後の画像が表示されることになる。なおここでは、赤のマーカーで囲まれた領域においては、ハッチングが行なわれ、緑で囲まれた領域においては色付けが行なわれ、青で囲まれた領域においては囲まれた領域内にある図形の縮小が行なわれている。
【００９５】
また、画面２０５に示される画面が表示されている状態で、タッチパネル６１４を介してユーザはさらに表示されている画面に対してマーカーによる記入を行なうことが可能である。たとえば図９（Ａ）の画面２０５に示されている状態から、ユーザはタッチパネル６１４を介して、画面２０６に示されるように新たに領域（１）および（２）を追加することが可能である。
【００９６】
すなわちカラーＬＣＤ１１５を介してユーザは画像処理が行なわれる前の状態、および画像処理が行なわれた後の状態を知ることができ、さらには画像処理のためのマーカーによる記入をタッチパネル６１４から行なうことが可能となり、装置は使い勝手のよいものとなる。
【００９７】
編集エリア指定メモリ６２６では、白黒原稿の編集に該当するデータが各々のビットに記録される。すなわちユーザのマーカーによる記入やタッチパネルからの入力により設定された、編集領域を示す図形がｂｉｔ  〜１５の領域に格納される。
【００９８】
たとえば図９（Ａ）の符号２０６に示されるような編集領域が設定されている場合を想定する。このとき、図９（Ｂ）を参照してエリア指定メモリ６２６のｂｉｔ１には白黒原稿に記入された赤マーカー（Ｒ）で囲まれた領域がその領域の内部を塗り潰した状態で格納される。なお、塗り潰された位置には“１”のデータが記録され、それ以外の部分には“０”のデータが記録される。
【００９９】
同様にエリア指定メモリ６２６内のｂｉｔ２およびｂｉｔ３には、それぞれ緑（Ｇ）で囲まれた領域、および青（Ｂ）で囲まれた領域がその内部を塗り潰された状態で格納される。
【０１００】
また、エリア指定メモリのｂｉｔ４には、タッチパネルより入力された（１）の部分の領域が内部を塗り潰された状態で格納され、ｂｉｔ５にはタッチパネルより入力された（２）の領域が内部を塗り潰された状態で格納される。
【０１０１】
エリア信号出力部６４２はこれらのメモリに格納された、内部が塗り潰された領域を認識することにより、これらの塗り潰された領域を画像処理の対象の領域と識別し、複写機処理部１０２に対して編集エリア信号を出力する。
【０１０２】
図１０は、閉ループ・マーカー検出メモリ／ＬＣＤ表示用原稿メモリ６２０の具体的構成を示すブロック図である。
【０１０３】
図を参照して、このメモリは原稿情報を１００ｄｐｉに間引きした後の閉ループ・マーカー判定データ／ＬＣＤ表示用の色コード化データをストアするメモリである。このメモリ内の原稿情報がＣＰＵによりＶＲＡＭに転送され、これによりＬＣＤに表示される。また、白黒原稿モードのときには、閉ループ・マーカーの検出がＣＰＵにより行なわれる。このメモリは、ＣＰＵとマーカー判別処理部、ＬＣＤ表示用色コード化処理部とによりアクセス可能である。
【０１０４】
図を参照して、メモリ６２０は、ＤＲＡＭ６２０１と、ＤＲＡＭのコントローラ６２０２と、ＣＰＵデータゲート６２０３と、色コードライト／リードデータゲート６２０４とから構成される。
【０１０５】
ＤＲＡＭコントローラ６２０２は、ＣＰＵアドレスと、閉ループ・マーカー／ＬＣＤ表示用原稿アドレスと、ＣＰＵライト／リード信号と、ＬＣＤ表示用色コード化処理部ライト信号とを入力する。
【０１０６】
ＣＰＵデータゲート６２０３は、ＣＰＵとの間でデータをやり取りする。色コードＷＲデータゲート６２０４は、ＬＣＤ表示用色コード化処理部のデータを入力する。
【０１０７】
図１１は、閉ループ・マーカー検出／ＬＣＤ表示用原稿メモリのプレーン構成を説明するための図である。
【０１０８】
図を参照して、プレーンは８枚の層により構成されている。
また、これらのプレーンの役割は、設定されたモードにより異なる。図１１は、入力された原稿画像が白黒原稿画像である場合のプレーン構成を示している。図を参照して、４プレーンは、ＬＣＤに白黒原稿画像を表示するための白黒の階調データとして用いられ、他の４プレーンは、閉ループおよびマーカーを検出するためのメモリとして用いられる。
【０１０９】
これに対して、カラー原稿、白黒＋カラー原稿が読取原稿とされた場合には、すべてのプレーンがＬＣＤに表示を行なうためのデータを記録するプレーンとなる。
【０１１０】
図１２は、読取が行なわれた原稿の種類に応じて、メモリプレーンの役割が異なる状態を説明するための図である。
【０１１１】
図を参照して、上述のように、白黒原稿が入力された場合には、ｂｉｔ４〜７のメモリプレーンが白黒原稿の表示用階調データとして用いられ、ｂｉｔ１〜３は、マーカー色を示すコードとして用いられる。ｂｉｔ１〜３により示される数が“０”であるときにはマーカーが付されていない領域を示し、“１”であれば赤、“２”であれば緑、“３”であれば青、“４”であればシアン、“５”であればマゼンタ、“６”であればイエローのマーカー色であることを示している。
【０１１２】
ｂｉｔ０で示されるフレームは白黒の２値化データであり、白黒原稿の中に設けられた閉ループを検出するために用いられる。ここで閉ループとは、原稿内に黒の線で書かれた閉じた領域を示す。この閉じた領域内をユーザがマーカーやタッチパネルにより指定することにより、その領域内に着色を施したり、その領域内をハッチングしたりすることが可能となる。
【０１１３】
また、読取られた原稿の画像をそのまま閉ループを識別するためのデータとして用いると、ＣＣＤの特性などにより、閉ループを構成する線が途切れてしまい、うまく閉ループを認識できないことがある。このため、ｂｉｔ０のプレーンのデータとしては、閉ループを構成する線をクロージング処理したデータが記録される。クロージング処理については、後述する。
【０１１４】
一方、入力された原稿がカラー原稿または白黒＋カラー原稿であるときには、メモリプレーンのｂｉｔ０〜７のすべてにはＬＣＤに表示を行なうためのデータが記録される。つまり、１ドットが８ビットのデータでＬＣＤには表示されることとなる。入力されたカラー原稿の色調は、このＬＣＤ表示用コードで表現できる色調に落とされてメモリに記録されることになる。
【０１１５】
このように、入力された原稿の内容に応じてメモリの役割を切換える処理は、ハードウェアにより行なってもよいが、図１３により示されるフローにより行なってもよい。
【０１１６】
図１３を参照して、白黒原稿を処理するモードが選択されているときには（Ｓ１でＹＥＳ）、白黒原稿用にメモリプレーンが割当てられる（Ｓ２）。一方、設定されているモードが、カラー原稿モードか、白黒＋カラー原稿モードであるときには（Ｓ３でＹＥＳ）、カラー用のメモリプレーンが割当てられる（Ｓ４）。
【０１１７】
図１４は、２値化処理部６２８の具体的な構成を示すブロック図である。
このブロックは、原稿情報の明度信号（Ｙ）、彩度（Ｃ）と、しきい値パラメータにより２値化した２値化原稿画像を生成する処理を行なう。そしてその２値化された原稿は、３×３ｄｏｔのクロージング処理が行なわれ、２値化メモリにストアされる。
【０１１８】
図を参照して、このブロックは、しきい値パラメータを出力するしきい値パラメータ出力部６２８１と、入力された原稿画像の２値化処理を行なう２値化処理部６２８２と、２値化処理の制御を行なう制御部６２８３と、クロージングを行なうために２値化された原稿画像の太め処理を行なう太め処理部６２８４と、太められた原稿画像の細め処理を行なう細め処理部６２８７と、太め処理に用いられるＦＩＦＯメモリ６２８５と、細め処理に用いられるＦＩＦＯメモリ６２８６とから構成される。
【０１１９】
２値化処理部６２８３は、原稿情報の明度信号（Ｙ）と彩度（Ｃ）とを入力する。しきい値パラメータ出力部６２８１は、ＣＰＵアドレスと、ＣＰＵからのデータと、ＣＰＵからのライトクロックとを入力する。
【０１２０】
２値化処理制御部６２８３は、２値化指示信号と、２値化データ書込指示信号と、副走査有効領域と、主走査有効領域と、主走査同期信号と、ドットクロックとを入力する。
【０１２１】
細め処理部６２８７は、クロージングが行なわれた２値化データと、下地判定データとを出力する。太め処理部６２８４は、閉ループ検出用２値化データを出力する。
【０１２２】
２値化処理制御部６２８３は、２値化メモリに対してクロック信号、ライト信号およびアドレスクリア信号を出力する。
【０１２３】
次に、図１５を参照して、クロージング処理について説明する。
クロージング処理は、注目画素（図中ハッチングで示される画素）の周りの３×３の画素のうち１つでも黒画素が存在すれば、注目画素を黒画素として処理（太め処理）し、その後に３×３の画素のうち１つでも白画素が存在すれば、注目画素を白画素とする処理（細め処理）である。
【０１２４】
これにより、閉ループの輪郭を構成する線の途切れがなくなり、閉ループ内の着色を行なうときなどに、閉ループの輪郭を正確に判定することが可能となる。
【０１２５】
図１６は、ＬＣＤ表示用色コード化／マーカー色判定処理部６３２の具体的構成を示すブロック図である。
【０１２６】
この処理部は、カラー原稿編集モード時には、カラー原稿の入力画像データからＬＣＤ表示用の色コードへの変換を行なう。
【０１２７】
また、白黒原稿編集モード時には、原稿入力データから間引きされたデータをカラー（Ｒ，Ｇ，Ｂ，Ｃ，Ｙ，Ｍ）の６種のカラーデータに分離する処理を行なう。
【０１２８】
また、黒のデータは３×３ｄｏｔのクロージング処理がされた後のデータを使用する。
【０１２９】
この処理部により、原稿情報に副走査方向の１／４の間引きを行なうため、原稿画像は、４ラインごとにＬＣＤ表示用原稿メモリ／閉ループ・マーカー検出メモリにストアされる。
【０１３０】
図を参照して、処理部６３２は、入力された画像データから、ＬＣＤ表示用データコード化／マーカー色判定を行なう判定部６３２３と、その制御を行なうＬＣＤ表示用データコード化／マーカー色判定処理制御部６３２６と、出力ディレー同期制御部６３２４と、マーカー色／ＬＣＤ表示用データを出力するビット０セレクタ６３２５と、閉ループ・マーカーＬＣＤ表示原稿メモリ書込制御部６３２７と、ＬＣＤ表示用データコード化／マーカー色判定のためのＲＯＭテーブル６３２１と、出力ディレーＦＩＦＯメモリ６３２２とを備える。
【０１３１】
以下に、マーカー色判定方法と原稿色色コード化方法との概要について説明する。
【０１３２】
マーカー色の判定は、１／４間引きされたＶ，Ｃｒ，Ｃｂの入力画像データをＲＯＭアドレスとしてＲＯＭテーブルを参照することにより実行される。白黒２値化データは、２値化処理部から出力される表示用２値化データを１／４間引きして、マーカー色判定データに同期して出力される。
【０１３３】
原稿色色コード化は、１／４間引きされたＹ，Ｃｒ，Ｃｂの入力画像データをＲＯＭアドレスとしてＲＯＭテーブルを参照することによりを行なわれる。
【０１３４】
次に、図１の複写機の具体的な操作手順について説明する。
図１７は、複写機の操作手順を説明するためのフローチャートである。
【０１３５】
図を参照して、表示される編集メニューの中から操作者は所望のメニューを選択する（Ｓ１０）。選択されたメニューの内容に従って、原稿の読取が行なわれ、スクリーンエディターにその内容が表示される（Ｓ１１）。表示された原稿内容を見て、操作者は編集の内容をスクリーンエディターを介して設定する（Ｓ１２）。次に、用紙サイズ、倍率、コピー枚数などのコピーモードが設定される（Ｓ１３）。その後、編集処理したコピーが出力される（Ｓ１４）。
【０１３６】
図１８は編集メニューの具体例を示す図である。図１８に示される内容がＬＣＤに表示される。
【０１３７】
メニューは、５つの目的別編集メニューと、１つの登録メニューとから構成される。
【０１３８】
色付け編集とは、白黒原稿を対象とし、文字や背景の色付けを行なうものである。
【０１３９】
マーカー編集とは、マーカーペンでエリア指定された白黒原稿を対象とし、そのエリア内の色付けなどを行なうものである。
【０１４０】
カラー編集とは、カラー原稿を対象とし、色変換やモノカラー・カラーフィルタなど、色の編集処理を行なうものである。カラー原稿内の白黒部に対しては色付けを行なうこともできる。
【０１４１】
トリミング編集とは、カラー、または白黒原稿を対象とし、原稿の一部分をトリミングするものである。
【０１４２】
合成編集とは、白黒原稿の中にカラー原稿を嵌め込む合成処理である。白黒原稿に対しては色付けを行なうことも可能である。
【０１４３】
登録とは、後述するカラーパレットの登録やパターンの登録などを行なうものである。
【０１４４】
ユーザーはタッチパネルを介してこれらの中から所定のものを選択することができる。選択が行なわれると、図１９に示されるようにそれぞれの内容に応じた画面が表示されることとなる。
【０１４５】
色付け編集が選択されたときの画面を図２０に示す。ユーザは表示されるメッセージに従って、色付けする白黒原稿をセットして、読込キー（画面右下）を押下する。すると、白黒原稿の読込が行なわれ、ＬＣＤにその原稿画像が表示される。この状態で、図２１に示されるようにタッチパネルを介して表示された原稿画像に色付けを行なうことにより、プリンタから色付けされたコピーを出力することができる。
色付けには、図２２に示されるようなエリア指定ツールが用いられる。エリア指定ツールは、指定したエリアを選択するエリア選択ボタンと、原稿全体を対象エリアとする全体ボタンと、矩形のエリア指定を行なうボックスボタンと、丸み矩形のエリア指定を行なうＲボックスボタンと、自由形のエリア指定を行なうトレースボタンと、閉ループでのエリア指定を行なう閉ループボタンと、直線を描画する直線ボタンと、自由形を描画する自由形ボタンとから構成される。
【０１４６】
ここに、ボックスボタンとは、ペンのドラッグ操作での開始点と終了点の２点で指定される矩形を色付けの対象エリアとするためのボタンである。
【０１４７】
Ｒボックスとは、ペンのドラッグ操作での開始点と終了点の２点で指定される丸み矩形を対象エリアとするためのボタンである。丸み矩形の形状を図２３に示す。
【０１４８】
トレースボタンとは、ペンドラッグ操作で指定される開始点と終了点を閉じた自由形エリアを対象エリアとするボタンである。トレースのエリア指定は、図２４（Ａ）に示されるように基本的な処理として、トレース線で囲まれたエリアを抽出し、それを対象エリアとする。また、（Ｂ）のようにエリアが交差する場合には、交差するトレース線の各々のエリアを抽出し、それを対象エリアとする。図２４において、ハッチングされた領域が処理の対象エリアとなる。
【０１４９】
閉ループボタンとは、ペンオンされた位置の周りの黒枠で閉じられたエリアを対象エリアとするボタンである。閉ループのエリア処理は図２５に示されるように行なわれる。
【０１５０】
すなわち、基本的な処理として黒枠で囲まれたエリアを抽出し、そのエリアを閉ループエリアとする（Ａ）。また、閉ループ内に閉ループがあるときには、外側の黒枠で囲まれたエリアを抽出し、そのエリアを閉ループエリアとする（Ｂ）。中に存在する閉ループのエリアは認識しない。これにより、アルファベットＢなどの中に存在する閉ループは識別されない。
【０１５１】
また、閉ループで囲まれた部分の外が指定されたときには、閉ループエリアとは認識しない。
【０１５２】
図２６は、マーカー編集モードが指定されたときの画面を示す図である。
図を参照して、図２６に示される表示内容に従って、操作者はマーカー加工した白黒原稿をＩＲにセットして、読込キーを押下すると、マーカー原稿の読取が行なわれる。読取られたマーカー原稿は、図２７に示されるようにＬＣＤ上に表示される。マーカーによる指定は、マーカーにより編集を行ないたいエリアを囲んで指定する方法（囲み枠指定）と、原稿の閉ループ内にマーカーで点を打つことによりその閉ループ内を指定する方法（点指定）とがある。
【０１５３】
また、ＬＣＤに表示された原稿にさらにマーカーエリアを指定することも可能であり、その場合に図２８に示されるマーカーエリア指定ツールが用いられる。
【０１５４】
マーカーエリア指定ツールは、イエロー、マゼンタ、シアン、グリーン、レッツドおよびブルーの各色からなっており、それぞれの色ごとに囲み枠指定と、点指定とができるようになっている。
【０１５５】
図２９は、カラー編集モードが指定されたときの画面を示す図である。画面に表示されるメッセージに従って、操作者は加工するカラー原稿またはカラー＋白黒混在原稿をＩＲにセットして、読込キーを押下する。それにより、カラー原稿の読取が行なわれ、図３０に示されるようにＬＣＤ上にカラー原稿が表示される。このカラー原稿に対して、ユーザは色の変換などの指定をタッチパネルを介して行なうことができる。
【０１５６】
図１８において登録モードが選択された場合には、図３１に示される画面がＬＣＤに表示される。
【０１５７】
登録メニューとして４つの登録が可能となっている。カラーパレット編集は、標準カラーパレットの色登録、および登録色の色読込登録を行なうものである。パターン編集とは、背景の色付け時のパターン編集を行なうものである。テクスチャ登録は模様付け時のテクスチャパターンの読込登録を行なうものである。マーカー編集設定とはマーカー編集の標準（デフォルト）編集モードを設定するものである。図３２に示されるように、各々のボタンを操作者が押下することによってそれぞれの内容に応じた画面が表示され、登録が行なわれる。
【０１５８】
図３３は本実施の形態におけるデジタルカラー複写機の操作画面を表示する処理を示すフローチャートである。図３４は、図３３に続くフローチャートである。
【０１５９】
図を参照して、装置が起動されるとステップＳ１００において、図１８に示される編集メニュー画面が表示される。ステップＳ１０１においてユーザが所定のモードを選択すると、そのモードに応じた分岐が行なわれる。
【０１６０】
「登録」が選択されたときには、ステップＳ１０２において図３１に示される登録メニューが表示され、図３２に示されるようにユーザの選択に応じて各種設定画面が表示され、登録が行なわれることとなる。ステップＳ１０３においてキー入力があったか否かが判定され、ＹＥＳであればステップＳ１００からの処理を再度実行する。
【０１６１】
一方、「色付け編集」が選択されたときには、ステップＳ１０４で図２０に示される画面が表示され、色付けを行なう原稿の読取が開始される。ステップＳ１０５で原稿の読取が完了したか否か判定され、ＹＥＳであれば、ステップＳ１０６において図２１に示される編集画面が表示され、ユーザによる編集処理が実行される。編集処理の終了後に、ステップＳ１０７でプリントキーがオンされたか否かが判定され、ＹＥＳであれば、ステップＳ１０８においてプリント処理が実行される。ステップＳ１０９でプリント処理が終了したか否かが判定され、ＹＥＳであれば、ステップＳ１００からの処理を繰返し実行する。
【０１６２】
モード選択画面において、「マーカー編集」が選択されたときには、ステップＳ１１０において図２６に示される画面が表示され、マーカー加工された白黒原稿の読取が行なわれる。ステップＳ１１１において原稿の読取が完了したか否かが判定され、ＹＥＳであれば、ステップＳ１１２において図２７に示される編集画面が表示されユーザからの編集処理が行なわれる。ステップＳ１１３で編集処理後にプリントキーがオンされたか否かが判定され、ＹＥＳであれば、ステップＳ１１４においてプリント処理が実行される。ステップＳ１１５においてプリント処理が終了したか否かが判定され、ＹＥＳであればステップＳ１００からの処理を繰返し実行する。
【０１６３】
編集メニューにおいて、「カラー編集」が選択されたときには、ステップＳ１１６において図２９に示される画面が表示され、カラー原稿の読取が行なわれる。ステップＳ１１７で原稿の読取が完了したか否かが判定され、ＹＥＳであれば、ステップＳ１１８において図３０に示される編集画面が表示され、ユーザからの入力に応じた編集処理が実行される。ステップＳ１１９で編集処理後にプリントキーがオンされたか否かが判定され、ＹＥＳであれば、ステップＳ１２０においてプリント処理が実行される。ステップＳ１２１においてプリント処理が終了したか否かが判定され、ＹＥＳであればステップＳ１００からの処理を繰返し実行する。
【０１６４】
編集メニューにおいて、「トリミング」が選択されたときには、ステップＳ１２２においてトリミング用原稿の読取が行なわれる。ステップＳ１２３で原稿の読取が完了したか否かが判定され、ＹＥＳであれば、ステップＳ１２４においてユーザからの入力に応じたトリミング処理が実行される。
【０１６５】
ステップＳ１２５においてプリントキーがオンされたか否かが判定され、ＹＥＳであれば、ステップＳ１２６においてプリント処理が実行される。ステップＳ１２７においてプリント処理が終了したか否かが判定され、ＹＥＳであればステップＳ１００からの処理が繰返し行なわれる。
【０１６６】
編集メニューにおいて、「合成」が選択されたときには、ステップＳ１２８において合成用の原稿の読取が行なわれる。ステップＳ１２９において原稿の読取が完了したか否かが判定され、ＹＥＳであれば、ステップＳ１３０においてユーザからの入力に応じた合成処理が行なわれる。
【０１６７】
ステップＳ１３１においてプリントキーがオンされたか否かが判定され、ＹＥＳであれば、ステップＳ１３２においてプリント処理が実行される。ステップＳ１３３においてプリント処理が終了したか否かが判定され、ＹＥＳであればステップＳ１００からの処理が繰返し行なわれる。
【０１６８】
以上のように、本実施の形態における複写機によると、まず第１に編集の結果をコピー出力前にＬＣＤ上で操作者は確認することができるため、ミスコピーを少なくすることができ、これにより装置の使い勝手を向上させることができる。
【０１６９】
第２に、閉ループの検出のためにクロージング処理されたデータを用いることができ、閉ループの検出の精度が向上する。また、ＬＣＤの表示のためにはクロージング処理を行なわない読取られたままの画像を表示することができ、操作者にとって見やすい画像をＬＣＤ上に表示することができる。
【０１７０】
第３に、読取モード（白黒原稿／カラー原稿）に応じて、ＬＣＤ表示用メモリのメモリプレーンの使用方法を変えるため、読取られる画像に応じて最も好ましい画質で読取られた原稿を表示することができる。
【図面の簡単な説明】
【図１】本発明の実施の形態の１つにおける複写機の斜視図である。
【図２】図１の複写機の正面断面図である。
【図３】図１の複写機が有するスクリーンエディターのブロック図である。
【図４】図１の複写機本体のブロック図である。
【図５】編集エリア指定メモリ６２６の構成を示すブロック図である。
【図６】編集エリア指定メモリのメモリ構成を説明するための図である。
【図７】編集エリア指定メモリのメモリプレーンの使用方法を説明するための図である。
【図８】読取られる原稿とメモリに格納されるデータとの関係を説明するための図である。
【図９】エリア指定メモリに記録されるデータと、ＬＣＤに表示される画面との関係を説明するための図である。
【図１０】閉ループ／マーカー検出／ＬＣＤ表示原稿メモリ６２０の構成を示すブロック図である。
【図１１】白黒原稿モード時におけるメモリ６２０の構成を説明するための図である。
【図１２】メモリ６２０の入力原稿に応じたメモリプレーンの構成を説明するための図である。
【図１３】メモリプレーンの割当処理を示すフローチャートである。
【図１４】２値化処理部６２８の構成を示すブロック図である。
【図１５】クロージング処理を説明するための図である。
【図１６】ＬＣＤ表示用色コード化・マーカー色判定処理部６３２の構成を示すブロック図である。
【図１７】図１の複写機の操作手順を示すフローチャートである。
【図１８】編集メニューの具体例を示す図である。
【図１９】編集メニューの各々のボタンを操作者が押下した状態を説明するための図である。
【図２０】色付けモードが選択されたときの画面を示す図である。
【図２１】白黒原稿の色付け処理をする画面を説明するための図である。
【図２２】エリア指定ツールを示す図である。
【図２３】Ｒボックスの形状を示す図である。
【図２４】トレースボタンによる処理を説明するための図である。
【図２５】閉ループボタンによる処理を説明するための図である。
【図２６】マーカー編集モードにおける画面を説明するための図である。
【図２７】マーカー編集の画面を説明するための図である。
【図２８】マーカーエリア指定ツールを示す図である。
【図２９】カラー編集モードが選択されたときの画面を示す図である。
【図３０】カラー原稿が読取られた後の状態を示す図である。
【図３１】登録処理が選択されたときの画面を示す図である。
【図３２】図３１の状態から操作者がタッチパネルを押下した状態を説明するための図である。
【図３３】図１の複写機の操作画面の表示ルーチンを示すフローチャートである。
【図３４】図３３に続くフローチャートである。
【符号の説明】
１１５  カラー液晶ディスプレイ
６１４  タッチパネル
６１８  ２値化メモリ
６２０  閉ループ／マーカー検出／ＬＣＤ表示原稿メモリ
６２８  ２値化処理部
６３０  縁取り判別処理部
６３２  ＬＣＤ表示用色コード化／マーカー色判定処理部
【図１】
0003671523.tif 000002
【図２】
0003671523.tif 000003
【図３】
0003671523.tif 000004
【図４】
0003671523.tif 000005
【図５】
0003671523.tif 000006
【図６】
0003671523.tif 000007
【図７】
0003671523.tif 000008
【図８】
0003671523.tif 000009
【図９】
0003671523.tif 000010
【図１０】
0003671523.tif 000011
【図１１】
0003671523.tif 000012
【図１２】
0003671523.tif 000013
【図１３】
0003671523.tif 000014
【図１４】
0003671523.tif 000015
【図１５】
0003671523.tif 000016
【図１６】
0003671523.tif 000017
【図１７】
0003671523.tif 000018
【図１８】
0003671523.tif 000019
【図１９】
0003671523.tif 000020
【図２０】
0003671523.tif 000021
【図２１】
0003671523.tif 000022
【図２２】
0003671523.tif 000023
【図２３】
0003671523.tif 000024
【図２４】
0003671523.tif 000025
【図２５】
0003671523.tif 000026
【図２６】
0003671523.tif 000027
【図２７】
0003671523.tif 000028
【図２８】
0003671523.tif 000029
【図２９】
0003671523.tif 000030
【図３０】
0003671523.tif 000031
【図３１】
0003671523.tif 000032
【図３２】
0003671523.tif 000033
【図３３】
0003671523.tif 000034
【図３４】
0003671523.tif 000035